(57)【要約】      （修正有）【課題】医療施設において、医療者の所持する任意の携帯電話を人目に付く場所に一箇所に纏めて待機させておくことができ、設置場所周辺の清潔維持が容易であり、第三者が携帯電話の所持者を一見して特定することのできる医療用携帯電話ホルダーを提供する。【解決手段】基盤２と、前記基盤に設けられてなる少なくとも一つの携帯電話収容部３と、前記携帯電話収容部に収容された携帯電話４の所持者を特定可能にする表示部５とを備えて医療用携帯電話ホルダーとする。【選択図】図１
0003176001.tif 000002
【実用新案登録請求の範囲】
【請求項１】
基盤と、前記基盤に設けられてなる少なくとも一つの携帯電話収容部と、前記携帯電話収容部に収容された携帯電話の所持者を特定可能にする表示部とを有する医療用携帯電話ホルダー。
【請求項２】
前記基盤は、前記携帯電話収容部が設けられている面とは反対側の面に設けられてなる少なくとも一つの磁石と、前記携帯電話収容部が設けられている面に設けられてなる少なくとも一つの把持部とを有する請求項１に記載の医療用携帯電話ホルダー。
【請求項３】
前記携帯電話収容部を、前記基盤に対して着脱可能とする着脱機構を有する請求項１又は２に記載の医療用携帯電話ホルダー。
【請求項４】
前記表示部は、所持者を特定する記号を表示するラベルを収容可能なポケットを有して成る請求項１〜３のいずれか一項に記載の医療用携帯電話ホルダー。
【考案の詳細な説明】
【技術分野】
【０００１】
この考案は医療用携帯電話ホルダーに関する。
【背景技術】
【０００２】
外科手術、血管内手術、消化器内視鏡手術、眼科手術など、手術や処置の途中で、緊急の連絡のため、医師に携帯電話がかかってくることがある。しかし、手術を中断すると、手術中の患者に対して大きな危害が及ぶ可能性がある。一方、例えば、手術中の医師が当病院又は他の病院で担当している患者が緊急状態に陥り、それに対する指示を仰ぐための緊急の連絡が携帯電話に入った場合等には、携帯電話の着信に応答しないと、緊急状態にある他の患者の生命が脅かされることになる。このため、携帯電話は医師にとって必要不可欠なものではあるが、大きなリスクとストレス、効率低下の原因にもなっていた。
【０００３】
特許文献１には、「手首に取り付ける取付手段と、この取付手段に固定されるホルダーケースと、このホルダーケースの内部に形成され、携帯電話を収納できる空間と、このホルダーケースの底面または側面に開口し前記携帯電話を前記空間へ挿入し収納できる開口部と、収納した携帯電話が前記開口部から脱落しないように設けられる脱落防止手段と、を有することを特徴とする携帯電話ホルダー。」（特許文献１の請求項１参照。）が記載されている。
【０００４】
この携帯電話ホルダーは、手首部分に設ける携帯電話ホルダーに関し、例えば、手術中の医師等が手首部分に携帯電話を保持することは、手術や処置をしている医師の集中力を妨げるおそれがあるので医療現場には不向きである。
【先行技術文献】
【特許文献】
【０００５】
【特許文献１】特開２０１０−１３０６８１号公報
【考案の概要】
【考案が解決しようとする課題】
【０００６】
そこで、考案者は、例えば医師が手術室に入った後、術衣に着替え、手術用グローブをつける前に、携帯電話を、所定の位置に電源を入れた状態で置き、その後に着信があった場合には、補助者に電話応答させ、口頭で必要な指示を与え、必要な手術や処置を中断することなく効率よく安全に、並行して業務を続行できる携帯電話ホルダーがあれば、前述した問題を解決することができると考えた。
【０００７】
この考案の課題は、医療施設において、医療者の所持する任意の携帯電話を一箇所に纏めて待機させておくことができ、第三者が携帯電話の所持者を特定することができ、設置場所周辺の清潔維持が容易である医療用携帯電話ホルダーを提供することである。
【課題を解決するための手段】
【０００８】
前記課題を解決するための手段は、
（１）  基盤と、前記基盤に設けられてなる少なくとも一つの携帯電話収容部と、前記携帯電話収容部に収容された携帯電話の所持者を特定可能にする表示部とを有する医療用携帯電話ホルダーである。
【０００９】
前記（１）の好適な態様としては、
（２）  前記基盤は、前記携帯電話収容部が設けられている面とは反対側の面に設けられてなる少なくとも一つの磁石と、前記携帯電話収容部が設けられている面に設けられてなる少なくとも一つの把持部とを有する前記（１）に記載の医療用携帯電話ホルダーであり、
（３）  前記携帯電話収容部を、前記基盤に対して着脱可能とする着脱機構を有する前記（１）又は前記（２）に記載の医療用携帯電話ホルダーであり、
（４）  前記表示部は、所持者を特定する記号を表示するラベルを収容可能なポケットを有して成る前記（１）〜前記（３）のいずれか一つに記載の医療用携帯電話ホルダーである。
【考案の効果】
【００１０】
この考案に係る医療用携帯電話ホルダーは、基盤と、前記基盤に設けられてなる少なくとも一つの携帯電話収容部とを有するので、医療施設において、医療者の所持する任意の携帯電話を一箇所に纏めて待機させておくことができる。また、この医療用携帯電話ホルダーは、携帯電話の所持者を特定可能にする表示部を有するので、携帯電話の所持者を一見して特定することができる。したがって、例えば、手術室内にいる携帯電話の所持者以外の第三者が携帯電話への着信に対して応答し、携帯電話の所持者に要件を伝えることができる。また、この医療用携帯電話ホルダーにおける携帯電話収容部は基盤に設けられているので、この考案の医療用携帯電話ホルダーの設置場所を容易に変更可能であり、医療用携帯電話ホルダーの設置場所周辺の清掃拭取り作業等の邪魔にならない。したがって、医療施設を清潔に維持し易い。
【００１１】
この考案に係る医療用携帯電話ホルダーにおける基盤は、前記携帯電話収容部が設けられている面とは反対側の面に設けられてなる少なくとも一つの磁石と、前記携帯電話収容部が設けられている面に設けられてなる少なくとも一つの把持部とを有するので、例えば、手術室の壁面にこの考案の医療用携帯電話ホルダーを前記磁石を介して設置した場合には、手術室の壁面を清掃拭取り作業する際に、基盤における把持部を持って、壁面に磁石で貼付けられた基盤を容易に取り外すことができる。よって、この医療用携帯電話ホルダーは、その設置場所を容易に変更することができるので、例えば手術室の壁面清掃作業の邪魔にならず、医療施設を清潔に維持し易い。
【００１２】
この考案に係る医療用携帯電話ホルダーは、携帯電話収容部を前記基盤に対して着脱可能にする着脱機構を有するので、携帯電話への着信に対して携帯電話収容部から携帯電話を取り出さずに、携帯電話収容部に収容された携帯電話を基盤から取り外して、電話に応答することができる。したがって、素早く電話に応答でき、また携帯電話収容部の清潔維持を確実にすることで、携帯電話に付着した雑菌で手術室を汚染するのを防ぐことができる。
【００１３】
この考案に係る医療用携帯電話ホルダーにおける表示部は、所持者を特定する記号を表示するラベルを収容可能なポケットを有して成るので、携帯電話の所持者は所持者を特定する記号を表示するラベルをポケットに入れるという簡単な動作だけで、第三者が携帯電話の所持者を一見して特定できるようにすることができる。
【図面の簡単な説明】
【００１４】
【図１】図１は、この考案に係る医療用携帯電話ホルダーの一実施態様を示す医療用携帯電話ホルダーの概略説明図である。図１（ａ）は、この考案に係る医療用携帯電話ホルダーの一実施態様を示す医療用携帯電話ホルダーの正面概略説明図であり、図１（ｂ）は、この考案に係る医療用携帯電話ホルダーの一実施態様を示す医療用携帯電話ホルダーの裏面概略説明図である。
【図２】図２は、この考案に係る医療用携帯電話ホルダーが設置される手術室の概略説明図である。
【図３】図３は、この考案に係る医療用携帯電話ホルダーにおける携帯電話収容部の実施態様を示す概略説明図である。図３（ａ）は、この考案に係る医療用携帯電話ホルダーにおける携帯電話収容部の正面概略説明図であり、図３（ｂ）は、この考案に係る医療用携帯電話ホルダーにおける携帯電話収容部の裏面概略説明図である。
【図４】図４（ａ）及び図４（ｂ）は、この考案に係る医療用携帯電話ホルダーにおける表示部の実施態様を示す概略説明図である。
【考案を実施するための形態】
【００１５】
以下において、図面を参照しつつこの考案に係る医療用携帯電話ホルダーについて説明する。図１は、この考案に係る医療用携帯電話ホルダーの一実施態様を示す医療用携帯電話ホルダーの概略説明図である。
【００１６】
図１に示すように、医療用携帯電話ホルダー１は、基盤２と、前記基盤２に設けられてなる少なくとも一つの携帯電話収容部３と、前記携帯電話収容部３に収容された携帯電話４の所持者を特定可能にする表示部５とを有する。
【００１７】
基盤２の大きさ及び形状は、携帯電話収容部３を複数個配置して、医療現場の適宜の場所に設置することができればよく、例えば、基盤２は、正面から見て略方形板状、円形板状、多角形板状等に形成され、壁、柱及びキャビネット等の側面に磁石等により貼付け可能に形成されていてもよいし、基盤２の裏面に基盤２を支える支持部材が設けられることにより、棚等の上に自立して設置されるように形成されていてもよい。
【００１８】
基盤２の材質は、清掃作業を容易に行うことのできる材質であるのが好ましい。基盤２の材質としては、例えば、アクリル樹脂、ポリエチレン、及びポリスチレン等の合成樹脂、ステンレスやアルミニウム合金等の金属、ガラス等を挙げることができる。さらに、基盤２は、連携病院や医療機器供給者の電話番号等の医療上便利な情報が表示できるような材質であるのが好ましい。例えば、これらの情報をマグネットシート等に記載して基盤２に貼り付ける場合には、基盤２は磁石を貼り付け可能な金属で形成されるのがよい。また、これらの情報を基盤２の表面に水性インクで記載して表示する場合には、文字を書き消しできるような表面処理が基盤２に施されているのが好ましい。
【００１９】
この実施形態の医療用携帯電話ホルダー１は、長方形板状であり、図１（ｂ）に示すように、基盤２の裏面に、壁面に対して着脱可能にする着脱機構としてマグネットシート７が設けられているので、磁石を貼付け可能な壁面、柱及びキャビネット等に貼付けたり、取り外したりするのを容易にすることができる。よって、この医療用携帯電話ホルダー１は、例えば手術室の壁面清掃作業を行う際には、壁面から容易に取り外して別の場所へ移動することができるので、手術室を清潔に維持し易い。
【００２０】
この実施態様の基盤２の角部には、携帯電話収容部３が設けられている面から突出する把持部８が設けられている。この把持部８は方形板状の基盤２の角を内側へ折り曲げた形状を有しており、壁面等にマグネットシートで貼付けられた医療用携帯電話ホルダー１をこの把持部８を持って容易に壁面等から取り外すことができる。よって、この医療用携帯電話ホルダー１は、この把持部８を持って、その設置場所を容易に変更することができるので、例えば手術室の壁面清掃作業の邪魔にならず、医療施設を清潔に維持し易い。この実施態様の医療用携帯電話ホルダー１は、基盤２における１つの角部に把持部８が１つだけ設けられているが、他の角部にも把持部が設けられることにより複数個の把持部が設けられてもよい。また、基盤２における把持部８の設けられている場所は角部に限定されず、把持部を持ってこの医療用携帯電話ホルダー１を別の場所に移動できる限り、基盤２におけるいずれの場所に設けられていてもよい。
【００２１】
この実施態様の把持部８は、この把持部８を持って医療用携帯電話ホルダー１を壁面等から取り外すときに、手が滑らないようにするための滑り止め９を有している。この実施態様の滑り止め９は、発泡材により形成された三角形のシートであり、把持部８の両面に貼り付けられている。滑り止め９は、この実施態様に限定されず、ゴム等の滑りにくい材質で形成されたシートであってもよいし、把持部８の表面に形成される滑りにくい構造、例えば複数の突起からなる突起部であってもよい。
【００２２】
携帯電話収容部３の材質、形状及び大きさは、携帯電話４を収容することができる限り特に限定されない。携帯電話収容部３の材質としては、アクリル樹脂、ポリエチレン、及びポリスチレン等の合成樹脂、綿及び麻等の天然繊維、ナイロン繊維、ポリエステル繊維、及びアクリル繊維等の合成繊維等により形成される布、革等を挙げることができる。これらの中でも、清掃作業を容易に行うことができる点で、合成樹脂が好ましい。この実施態様の携帯電話収容部３の形状は、上部に開口部を有し、有底の角筒状に形成されており、携帯電話４の上部が携帯電話収容部３の上部から露出するように形成されている。電話応答に際しては、携帯電話４の上部露出部を把持して携帯電話収容部３から取出すことができる。この実施態様の医療用携帯電話ホルダー１は、３つの携帯電話収容部３が基盤２の表面の下側に一列に設けられているが、携帯電話収容部３の数は使用態様に応じて必要数が設けられていればよく、また、その配置は基盤２の大きさや形状に応じて適宜設定される。
【００２３】
表示部５は、携帯電話収容部３に収容された携帯電話４の所持者を特定することができる限り、その構造については特に限定されない。この実施形態の表示部５は、所持者を特定する記号を表示するラベル例えば名刺を収容可能なポケット６を有し、このポケット６が携帯電話収容部３の正面に設けられている。したがって、携帯電話４の所持者は、このポケット６に名刺を入れるという簡単な動作をするだけで、携帯電話４への着信に応答する第三者が自身の携帯電話４を容易に特定できるようにすることができる。なお、この名刺を入れるポケット６は、携帯電話収容部３の正面でなく、基盤２における、例えば携帯電話収容部３の上部に設けられていてもよい。
【００２４】
前記ラベルは、携帯電話４の所持者を特定する記号が表示されていればよく、その形状及び材質等は特に限定されない。ラベルは、紙やプラスチック等で形成されたカードや棒であってもよい。また、ラベルに表示される記号は、所持者を特定することができればよく、例えば、姓名、イニシャル、図形等を挙げることができる。また、ポケット６はこのラベルの形状に適合する形状を有するように形成されるとよい。
【００２５】
次に、この医療用携帯電話ホルダー１の使用方法の一例として、医療用携帯電話ホルダーが手術室で使用される例について説明する。手術室２０で医療に従事する医療従事者は、手術室２０に入室する前の準備室で、手術用グローブ等を着用する前に自身の所持する携帯電話４を電源を入れた状態で医療用携帯電話ホルダー１に置く。また、名刺等の所持者を特定する記号を有するラベルを表示部５のポケット６に入れる。携帯電話４が収容された医療用携帯電話ホルダー１は、補助者により手術室２０に移動される。
【００２６】
手術室２０は、図２に示すように、清潔区域２１と準清潔区域２２とに分けられている。清潔区域２１では手術が行われ、準清潔区域２２では手術にかかわる機器の操作や手術の補助作業が行われる。この医療用携帯電話ホルダー１は、準清潔区域の壁面、柱、及びキャビネット等の側面にマグネットシート７を介して貼り付けられる。したがって、この医療用携帯電話ホルダー１が設置される壁面や柱等には、マグネットシート７を貼付け可能な金属シート等が予め貼り付けられているとよい。
【００２７】
携帯電話４を医療用携帯電話ホルダー１に置いた後に着信があった場合には、準清潔区域２２で作業する医療従事者が医療用携帯電話ホルダー１に収容されている携帯電話４に対して応答する。そして、表示部５に表示されている名前等の記号から携帯電話４の所持者を識別し、必要に応じて、例えば手術中の医師等に要件を伝え、必要に応じて指示を受けて、発信者にそれを伝える。携帯電話４に応答する医療従事者は、手術中の医師等の状況に応じて携帯電話からの要件を伝えることができるので、手術中の医師等の処置を中断することなく、また集中力を妨げることなく、手術室の外からの情報を伝えることができる。
【００２８】
手術終了後には、医療用携帯電話ホルダー１に収容された携帯電話４は、携帯電話４の所持者に返却される。手術室は、手術前と同様の清潔な環境に戻すために清掃作業が行われる。壁面や機器等は、除菌洗浄剤等で清拭される。医療用携帯電話ホルダー１が貼り付けられた壁面を清拭する際には、把持部８を持って、壁面から医療用携帯電話ホルダー１を取り外し、別の場所へ移動させる。医療用携帯電話ホルダー１もまた清拭される。このように、この医療用携帯電話ホルダー１は、壁面から容易に着脱できるので、手術室内を清潔に維持し易い。
【００２９】
なお、この考案の医療用携帯電話ホルダーは、前述した実施態様に限定されず、この考案の課題を達成することができる限り、種々の変更が可能である。
【００３０】
例えば、携帯電話収容部が、図１に示すように、基盤２に固定されている態様だけでなく、携帯電話収容部を基盤から着脱可能にする着脱機構を有していてもよい。医療用携帯電話ホルダーがこのような携帯電話収容部の着脱機構を有していると、携帯電話への着信に対して携帯電話収容部から携帯電話を取り出さずに、携帯電話収容部に収容された携帯電話を基盤から取り外して、電話に応答することができる。したがって、素早く電話に応答することができ、また準清潔区域で作業する医療従事者が携帯電話に直接触れることなく携帯電話収容部を持って応答することができるので、携帯電話収容部の清潔維持を確実にすることで、携帯電話に付着した雑菌で手術室を汚染するのを防ぐことができる。
【００３１】
携帯電話収容部の着脱機構は、携帯電話収容部を基盤から着脱することができる限り特に限定されず、例えば、面ファスナー、マグネットシート、粘着テープ、及び嵌合等を挙げることができる。これらの中でも携帯電話収容部を清潔に維持し易い着脱機構として、マグネットシートや嵌合が好ましい。また、手術室等における医療従事者の作業環境等により磁力のない着脱機構がよい場合もある。
【００３２】
この考案の医療用携帯電話ホルダーがこのような携帯電話収容部の着脱機構を有し、携帯電話収容部に携帯電話が収容された状態で電話に応答することができるように形成されている場合には、携帯電話収容部は、携帯電話の操作をするための窓を有しているのが好ましい。
【００３３】
携帯電話収容部２０３の形状は、図１に示す形状に限定されず、図３（ａ）及び（ｂ）に示すように、基盤に対向して設けられる板部３１とこの板部３１に設けられたバンド３２とにより形成されていてもよい。携帯電話３３はバンド３２で板部３１に固定され、携帯電話３３が携帯電話収容部３０３に収容された状態で電話の操作ができるように形成されている。板部３１には、基盤に対して着脱可能にする着脱機構として、Ｌ字状の突起３４が設けられ、基盤に設けられた孔又はループにＬ字部分を抜き差しして嵌合されるように形成されている。この実施態様の医療用携帯電話ホルダーによると、携帯電話３３が携帯電話収容部２０３に収容された状態で、携帯電話３３への着信に対して応答することができるので、素早く電話に応答することができる。また、携帯電話に付着した雑菌で手術室を汚染するのを防ぐことができる。
【００３４】
また、表示部は、図１に示すような名刺を収容可能なポケット５に限定されず、例えば、図４（ａ）に示すように、携帯電話収容部４０３ａの表面にネームプレート４２が取り付けられていてもよい。或いは、図４（ｂ）に示すように、基盤４０２における携帯電話収容部４０３ｂの上部にネームプレート４３が設けられていてもよい。これらのネームプレート４２，４３は、携帯電話の所持者を特定可能な記号や名前が消えないように表記されていてもよいし、水性マジック等で書いて消せる材質で形成され、必要に応じて携帯電話の所持者を特定可能な記号や名前を変更できるように形成されていてもよい。
【００３５】
把持部は、図１に示すような基盤２の角を内側へ折り曲げた形状を有する突起部に限定されず、例えば、基盤に設けられた孔に挿通されたリングであってもよい。このリングは、円形状のリングに限らず、角形状のリングであってもよいし、紐であってもよい。リングの材質は、清浄し易い合成樹脂等で形成されるのが好ましい。
【符号の説明】
【００３６】
１，４０１    医療用携帯電話ホルダー
２，４０２    基盤
３    携帯電話収容部
４    携帯電話
５    表示部
６    ポケット
７    着脱機構
８    把持部
９    滑り止め
２０    手術室
２１    清潔区域
２２    準清潔区域
３１    板部
３２    ベルト
３３    携帯電話
３４    突起
４０３ａ，４０３ｂ    携帯電話収容部
４２，４３    ネームプレート
【図１】
0003176001.tif 000003
【図２】
0003176001.tif 000004
【図３】
0003176001.tif 000005
【図４】
0003176001.tif 000006